(57)【要約】【課題】試用見本品・販売商品等のレイアウトの自由変更を可能にして顧客に対する商品のアピールを向上可能とする汎用性に富む折曲式ディスプレイ具を提供する。【解決手段】折曲することで仕切部３の形成を可能にすべく折曲用切込線２を等間隔に刻設してなる板材１によって折曲式ディスプレイ具を形成する。折曲用切込線２は、板材１を筒状に折曲成形可能とし、また商品のサイズや形状、区画の大きさ等に応じた所定位置での折曲を可能にする。このように店頭において、商品の大小、区画の大きさ等に対応して折曲用切込線２の所定位置で折曲することで、各商品毎に区画するための仕切部３を変更可能にして容易に形成でき、また商品を立て掛けたり寝かせたりして陳列することもでき、多目的に使用可能な汎用性に富むディスプレイが容易で且つ低コストに成形できるようにする。【選択図】図１
2011194167.tif 000002
【特許請求の範囲】
【請求項１】
可撓性の透明な板材に、折曲することで仕切部の形成を可能にする折曲用切込線を刻設してなることを特徴とする折曲式ディスプレイ具。
【請求項２】
折曲用切込線は、板材を筒状に折曲成形可能とさせる請求項１記載の折曲式ディスプレイ具。
【請求項３】
折曲用切込線は、商品のサイズや形状、区画の大きさに応じた所定位置での折曲を可能にする請求項１または２記載の折曲式ディスプレイ具。
【発明の詳細な説明】
【技術分野】
【０００１】
本発明は、主として化粧品を陳列販売するに際し、そのテスト見本品（試用見本品）を陳列棚前面等に並べておくとき、販売商品及びその試用見本品等の入れ替え、交換その他に対応して試用見本品の陳列形態等のレイアウト、支持区画域等が変更される場合、その大小、陳列位置に応じてレイアウト等を現場で自由に変更して支持できるようにする折曲式ディスプレイ具に関する。
【背景技術】
【０００２】
従来から、例えば略棒状の容器形態となる口紅・アイシャドウ・マニキュア、略偏平状の容器形態となるファンデーション、ボトル状の容器形態となる化粧用クリーム・化粧水等の各種化粧品の販売商品、これに対応する試用見本品等を店頭に陳列する際には、商品のサイズや形状等に合わせた嵌合溝や保持穴が形成されているトレー、または筒状のスタンド、さらにはひな壇等を陳列棚の上に取付け、これらに試用見本品や販売商品等を載せて陳列していた。
【０００３】
例えば、特許文献１に開示されているように、陳列棚の保持具嵌合用凹部に嵌合されるよう細長箱型に形成された保持具の表面に、多数の楕円形状の保持穴が穿設され、これらの保持穴に試用見本品等が保持され、また裏面側にも大きさの異なる保持穴が穿設され、裏返して使用することにより、種類の異なるテスターを保持できるようにした化粧品陳列棚が存在する。
【０００４】
また、特許文献２に開示されているように、多段形のテスター陳列保持具の上段に設けられた保持穴に棒状のデザインカラーテスターや口紅テスターの多数本が直立姿勢で陳列保持され、下段には略偏平状のアイシャドウテスターが湾曲面に沿うよう斜めに陳列保持されるようになっている化粧品陳列棚が存在する。
【先行技術文献】
【特許文献】
【０００５】
【特許文献１】特開平９−２７６０９７号公報
【特許文献２】特開平１１−２８５４２９号公報
【発明の概要】
【発明が解決しようとする課題】
【０００６】
しかしながら、上記した従来における嵌合溝や保持穴を備えたトレー、または筒形のスタンド、さらには特許文献１や特許文献２における保持穴が穿設された保治具等の場合、商品のサイズや形状等に対応するように嵌合溝・保持穴・筒径等のサイズを予め設定して製作するものとしている。そうすると、このような従来の什器におけるトレーやスタンドさらには特許文献１や特許文献２における保治具等は、商品のサイズや形状等の異なるものに対応して個別に製作しなければならないから、例えば季節変化やシリーズ商品の変更がある場合に、これらを陳列するトレー・スタンド・保治具等の什器においても、その変更等に対応して作り変えて交換する必要があった。このため、什器の設計、製作、運搬等にかかる諸費用が多大となり、コストアップの大きな要因となっていただけでなく、省資源の観点からも好ましくはなかった。しかも、変化のないレイアウトによる陳列形態では、顧客に対する商品のアピールが弱くなるという問題も生じていた。
【０００７】
そこで、本発明は叙上のような従来存した諸事情に鑑み創出されたもので、例えば化粧品等の販売商品及びその試用見本品等の入れ替えに伴い、その陳列形態、レイアウト等を変更するとき、店頭において商品のサイズや形状さらには陳列される商品の区画の大きさ等に応じて支持区画域の位置、大小等を変更したり、商品の陳列の向き等を変更したり等の陳列態様を種々に選択できるようにし、多目的に使用可能な汎用性に富むディスプレイを容易に且つ低コストで構成でき、しかも試用見本品・販売商品等のレイアウトの自由変更を可能にして顧客に対する商品のアピールを向上させることができる汎用性に富む折曲式ディスプレイ具を提供することを目的とする。
【課題を解決するための手段】
【０００８】
上述した課題を解決するために、本発明にあっては、可撓性の透明な板材１に、折曲することで仕切部３の形成を可能にする折曲用切込線２を、例えば等間隔に刻設してなることによって形成したものである。
また、折曲用切込線２は、板材１を筒状に折曲成形可能とさせることができる。
そして、折曲用切込線２は、商品のサイズや形状、区画の大きさに応じた所定位置での折曲を可能にすることができる。
【０００９】
以上のように構成された本発明に係る折曲式ディスプレイ具にあって、板材１に刻設された折曲用切込線２は、例えば化粧品における試用見本品等の商品の大小、陳列される商品の区画の大きさ等に対応してこれの所定位置で折曲することで各商品毎に区画するための仕切部３を形成させる。
そして、仕切部３および折曲用切込線２を縦に向くようにして配置させることで各種商品を立て掛けた際の横の区画を形成させ、仕切部３によって各種商品を立て掛けた際の左右方向への転倒を防止させる。また、仕切部３および折曲用切込線２を横に向くようにして配置させることで、各種商品を寝かせた際の縦の区画を形成させ、仕切部３により各種の商品を多段的に寝かせて陳列可能にさせる。
また、折曲用切込線２の折曲による板材１の筒状成形は、各種の容器形状に対応して商品を自立的に陳列可能にさせる収納空間を形成し、また陳列される商品の区画域を形成させる。
そして、折曲用切込線２は、商品のサイズや形状、区画大きさに応じて折曲させ、それらに対応した種々な陳列を可能にさせる。
【発明の効果】
【００１０】
本発明によれば、店頭において化粧品等の販売商品及びその試用見本品等を陳列棚等の前面で陳列するとき、その陳列される商品のサイズや形状さらには陳列される商品の区画の大きさ等に応じて板材１の折り方を種々に選択、変更することで、商品の大小に応じて区分け域、陳列部位を変更したり、商品に対応して立て掛けたり寝かせたりして陳列できる。また、販売商品、試用見本品等の入れ替え、交換、配置替え等があっても、板材１における折曲用切込線２位置の適宜な選択で、折曲位置を変更し、また大小の相違による全体大きさの裁断等によって、それらに対応可能である。しかも、商品の陳列現場で、その現場に即応して変更でき、従来のような専用什器によるものとは異なり、陳列態様が特定されずに自由なレイアウトを可能にする。そのため、多目的に使用可能な汎用性に富むディスプレイ具として容易で且つ低コストで使用でき、試用見本品・販売商品等のレイアウトの自由変更を可能にして顧客に対する商品のアピールを向上させることができる。
【００１１】
すなわちこれは、本発明が、可撓性の透明な板材１に、折曲することで仕切部３の形成を可能にする折曲用切込線２を刻設してなることによって形成したからであり、これにより、陳列される商品の大小、商品の区画大きさ等に対応して選択した折曲用切込線２部位による適宜折曲で仕切部３を容易に形成でき、また商品の立て掛け、寝かせ等による陳列態様の様々なレイアウトの変更にも対応できる。また、仕切部３および折曲用切込線２を縦に向くように配置させることで、各種商品を立て掛けた際の横方向の区画を形成でき、仕切部３によって立て掛けた際の左右方向への転倒を防止できる。また、仕切部３および折曲用切込線２を横に向くように配置させることで、各種商品を寝かせた際の縦方向の段状の区画を形成でき、仕切部３によって各種の商品を多段的に寝かせ、落下させることなく支持できる。
【００１２】
また、折曲用切込線２は、板材１自体を角筒状、丸筒状等の筒状に折曲成形させることで、所定大きさの収納空間を構成でき、その収納空間内で各種商品を自立的に陳列でき、例えば陳列空間が大きいときに、その区域を仕切るようにレイアウト区画できる。そればかりでなく、板材１自体の様々方向での折曲によって、陳列空間を種々な形態で区画でき、試用見本品Ｔ・販売商品Ｇ等が有する印象に対応した陳列区画のレイアウトを自由に選定し、また自在に変更することもできる。
【００１３】
そして、折曲用切込線２は、商品のサイズや形状、区画の大きさに応じた所定位置での折曲を可能にするので、商品の各種サイズや形状、区画の大きさに対応して板材１の折り方を種々に選択することができ、それらに対応したサイズ、形状、区画大きさに変更できる。これらは陳列現場においても、現場に即応して容易に変更可能であり、しかも、専門業者に依頼することなく、例えば販売員・店員が自らの工夫で様々に変更でき、売れ筋商品、販売促進商品その他の商品の特性に合わせたレイアウトとすることも可能である。
【００１４】
尚、上記の課題を解決するための手段、発明の効果の項それぞれにおいて付記した符号は、図面中に記載した構成各部を示す部分との参照を容易にするために付したもので、図面中の符号によって示された構造・形状に本発明が限定されるものではない。
【図面の簡単な説明】
【００１５】
【図１】本発明を実施するための一形態を示す斜視図である。
【図２】同じく使用例を示し、（ａ）は変形前の平面状態の要部斜視図、（ｂ）はへの字波形に折曲した要部斜視図、（ｃ）は三角波形に折曲した要部斜視図、（ｄ）は所定間隔毎に２連の三角折り込み部分を形成した要部斜視図、（ｅ）は所定間隔毎に１つの折り返し部分を形成した要部斜視図である。
【図３】同じく折曲用切込線の他例を示す要部断面図であり、（ａ）は片面で断面Ｖ字形とした場合、（ｂ）は両面で相対させて断面Ｖ字形とした場合、（ｃ）は両面で位置をずらせて断面Ｖ字形とした場合、（ｄ）は片面で断面Ｕ字形とした場合、（ｅ）は両面で相対させて断面Ｕ字形とした場合、（ｆ）は両面で位置をずらせて断面Ｕ字形とした場合である。
【図４】同じく他の使用例を示し、（ａ）は四角筒状に成形する状態の斜視図、（ｂ）は四角筒状に成形後でホルダー部材を取り付ける状態の斜視図である。
【発明を実施するための形態】
【００１６】
以下、図面を参照して本発明の実施の一形態を詳細に説明すると、図において示される符号１は、本発明に係る折曲式ディスプレイ具を構成する可撓性の透明な板材である。この板材１は、図２（ａ）に示すように、例えば透明なプラスチック製材（ＰＥＴ）等によって所定肉厚の薄板状に形成されており、その両面のどちらからでも折曲できるよう両面対称位置には、例えば断面略Ｖ溝刻み状の折曲用切込線２が、例えば１ｃｍ程度の等間隔で並設されている。
【００１７】
折曲用切込線２は、図３に示すように、断面でＶ字形とする場合（図３（ａ）乃至（ｃ）参照）、断面でＵ字形とする場合（図３（ｄ）乃至（ｆ）参照）もあり、また、板材１の片面のみとする場合（図３（ａ）、（ｄ）参照）、板材１の両面とする場合（図３（ｂａ）、（ｅ）参照）、板材１の両面で僅かに位置をずらして形成する場合（図３（ｃ）、（ｆ）参照）その他でも良い。また、断面形状は半円形、矩形等であっても良く、その配列も両面で相対していても、位置がずれていても良く、いずれも特に限定されないのであり、要は、この折曲用切込線２によって板材１自体が表裏面のいずれの方向へも折曲され、また、繰り返しの折曲操作によっても簡単には切断されることがないように配慮されている。
【００１８】
この折曲用切込線２は、図示のように直線状で連続している場合に限らず、ミシン目状に不連続で、断続してあっても良く、また場合によっては曲線状、波線状その他の配列のものとすることもでき、さらには平行状とせずに交差させて配列形成することであっても良い。
【００１９】
そして、この板材１を例えばハサミやカッターナイフ等で所定の大きさに裁断し、陳列すべき商品のサイズや形状、区画の大きさ等に応じて種々に選択された位置の折曲用切込線２によって折曲することで、各商品のサイズ、形状等に対応した仕切部３とする区分け位置の変更、水平方向あるいは上下方向に沿っての立て掛け、寝かせ等となるように陳列するための仕切部３の形成変更等が可能となって形成されるようにしてある。また、板材１自体を筒状に折曲成形することで、内部に所定容量の収納空間を形成して、その収納空間によって商品を各種類毎に収納し、自立できるようにもしてある。
【００２０】
図１に示すように、陳列棚１１としては、例えばラック等の上下方向に沿う適宜間隔で配置された棚フレームにスライド台１２が設置され、このスライド台１２上にほぼボックス状の商品陳列台１３が載置固定され、このスライド台１２を前後にスライド可能として商品陳列台１３を多段的に配置している。
【００２１】
スライド台１２の前端側には、商品陳列台１３下面とスライド台１２上面とによって一端側が挟持固定され、他端側に左右方向に長い垂直面部１４ａおよび傾斜面部１４ｂを有するアングル材１４が取り付けられている。このアングル材１４は傾斜面部１４ｂを前方に向け且つ例えばボックス状の商品陳列台１３の前壁面を垂直面部１４ａで覆うようにして配置される。また、傾斜面部１４ｂには、下端縁にコボレ防止縁部１７ａを前方へ向けて傾斜状に突設してなる前面傾斜陳列台１７が固着されている。前面傾斜陳列台１７には、図２に示すように、上記した折曲式ディスプレイ具を構成する板材１が載せられ、これの仕切部３によって例えば化粧品等の販売商品Ｇや試用見本品Ｔを大小別に区分けされた状態で立て掛けたり、横に寝かせたりして陳列できるようにしてある。
【００２２】
商品陳列台１３は、例えば前部を販売商品陳列部１５、後部を販売商品保管部１６に前後仕切部材１８によって区画することもでき、例えば図４に示すように、筒状に構成した本考案ディスプレイ具（１）を後述するホルダー部材２０を介して商品陳列台１３前壁縁に係止させ、例えば化粧品等の販売商品Ｇや試用見本品Ｔをその内部の収納空間に入れて自立的に陳列できるようにしてある。
【００２３】
尚、ホルダー部材２０は、上記した例えば商品陳列台１３前壁縁等に係止される上部に逆Ｕ字状の係止部２２を備えたベース部２１と、ベース部２１に突設された板材１挟持用の挟持部２３とを有して構成されている（図４（ｂ）参照）。
【００２４】
次に、折曲式ディスプレイ具の使用例について説明すると、先ず、前面傾斜陳列台１７に対応できるよう板材１を適当な長さの矩形板状となるように、折曲用切込線２に沿って、また折曲用切込線２と直角方向に沿って裁断して所定大きさのものとしておく。そして、陳列すべき商品の大小、その区画範囲大きさその他に対応して折曲用切込線２によって仕切部３を折曲形成したり、筒状に折曲成形したりして前面傾斜陳列台１７、商品陳列台１３等に配置し、使用する。
【００２５】
例えば図２（ｂ）に示すように、略偏平ボトル状の容器の横幅や厚み等の大きさに対応すべく、板材１の折曲用切込線２を山折りし、これより所定本数隔てた折曲用切込線２を谷折りし、これを順次繰り返すことで略への字波形となった連続的な仕切部３を形成する。そして、これを前面傾斜陳列台１７に仕切部３を縦に向くようにして載せ、これら仕切部３相互間に略偏平ボトル状の容器による各種化粧品の販売商品Ｇや試用見本品Ｔを立て掛けるようにして陳列すれば良い（図１参照）。
【００２６】
図２（ｃ）に示すように、略棒状の容器の外径に対応すべく、板材１の折曲用切込線２の山折りと谷折りとを交互に繰り返し設けることで三角波形となった仕切部３を形成する。そして、同様にして前面傾斜陳列台１７上で、これら仕切部３相互間にペンシル型等の容器による各種化粧品の販売商品Ｇや試用見本品Ｔを立て掛ける（図１参照）。
【００２７】
図２（ｄ）に示すように、略偏平状の容器の横幅や厚み等の大きさに対応すべく、板材１の折曲用切込線２のうち２連の三角折り込み部分を所定間隔毎に繰り返すことで略逆Ｗ字となった仕切部３を並設しておく。そして、これも同様にして前面傾斜陳列台１７上で、扁平容器状の各種化粧品の販売商品Ｇや試用見本品Ｔを立て掛けて陳列する（図１参照）。
【００２８】
図２（ｅ）に示すように、例えば略偏平状の容器の横幅や厚み等の大きさに対応すべく、板材１の折曲用切込線２のうち１つの折り返し部分を所定間隔毎に繰り返すことで略逆Ｕ字となった仕切部３を並設しておく。そして、同様に前面傾斜陳列台１７上で仕切部３を横に向くようにして載せ、これら仕切部３を載置段部として略偏平状の容器形態の各種化粧品の販売商品Ｇや試用見本品Ｔを段状に載せて陳列すれば良い（図１参照）。
【００２９】
このように販売商品Ｇや試用見本品Ｔ等の各種の商品のサイズや形状、それらを陳列する区画域の大きさ等に応じて板材１の折曲用切込線２の折り方を種々に選択し、また変更した様々な使用形態とする。
【００３０】
また例えば倒れやすく、自立が比較的困難である商品を陳列する場合には、本考案ディスプレイ具を筒状に成形し、所定の収納空間を構成して収納することで使用できる。すなわち、図４（ａ）に示すように、板材１の長手方向に等間隔離れた４箇所の折曲用切込線２を山折状に折曲して略四角筒状に形成し、その一端側の長延出部分４および他端側の短延出部分５それぞれを外側に直角に折曲て互いに接合させ、この接合部分を例えば接着剤またはステープラー等で固定しておく。そして、図４（ｂ）に示すように、固定部分より外方へ突出している長延出部分４の折曲用切込線２をさらに直角に折曲し、その先端部にホルダー部材２０が取り付けられる。このホルダー部材２０を上記した例えば商品陳列台１３の前壁縁等に係止させることで商品陳列台１３の上に載置してから、例えば四角形ボトル等の容器による例えばファンデーション、化粧用クリーム等の各種化粧品の販売商品Ｇや試用見本品Ｔを入れて陳列すれば良い（図１参照）。
【００３１】
また、筒状に成形する場合には、図示のように四角筒状とする場合に限らず、略三角筒状、略八角筒状、円筒状その他に成形することもでき、これに対応した形状の各種化粧品の販売商品Ｇや試用見本品Ｔを入れて陳列する。こうして、例えば前後で区画された商品陳列台１３上における区画された商品陳列区域内で、商品を自立させることができる所定容量の収納空間を構成できる。
【００３２】
尚、上記した筒状に形成した折曲式ディスプレイ具の場合、各種ボトルの容器形状に合わせて板材１を折曲成形しているが、これに限らず、筒状に成形した板材１内に仕切板等を設ければ、例えば略棒状の容器からなる口紅・アイシャドウ・マニキュア、各種偏平状の容器からなるファンデーション、各種ボトル状の容器からなる化粧用クリーム・化粧水等の各種化粧品の試用見本品Ｔや販売商品Ｇ等を筒状形成の板材１によって複数個まとめて自立陳列することもできる。
【符号の説明】
【００３３】
Ｇ…販売商品                            Ｔ…試用見本品
１…板材                                ２…折曲用切込線
３…仕切部                              ４…長延出部分
５…短延出部分
１１…陳列棚                            １２…スライド台
１３…商品陳列台                        １４…アングル材
１４ａ…垂直面部                        １４ｂ…傾斜面部
１５…販売商品陳列部                    １６…販売商品保管部
１７…前面傾斜陳列台                    １７ａ…コボレ防止縁部
１８…前後仕切部材
２０…ホルダー部材                      ２１…ベース部
２２…係止部                            ２３…挟持部
【図１】
2011194167.tif 000003
【図２】
2011194167.tif 000004
【図３】
2011194167.tif 000005
【図４】
2011194167.tif 000006